(57)【要約】      （修正有）【課題】主収納部の側襠部が好体裁で、かつ、傷つき難いランドセルを提供する。【解決手段】背板２の上端に取り付けている長尺形状の蓋３が、主収納部４及びこの主収納部の前面に階段状に設けられている副収納部５の口部を閉蓋可能にする。さらに、この主収納部４の側襠部７ａの上部に胴ベルト１１を設け、その下方で背板２の両側端より内側の側襠部７ａに硬質の当たり防止具１５を取り付け、その当たり防止具１５に、側襠部７ａを覆う頭部と側襠部を貫通する脚部を設け、前記頭部の天面に装飾を施してランドセル１を構成する。【選択図】図１
0003163464.tif 000002
【実用新案登録請求の範囲】
【請求項１】
背板の上端に取り付けられた蓋が、この背板の前面に設けられている主収納部及びその前段の副収納部の口部を閉蓋したとき、背板及び蓋が主収納部及び副収納部の周囲を逆略Ｕ字状に取り囲むランドセルにおいて、主収納部の側襠部の上部に胴ベルトを設け、その下方で前記背板の両側端より内側の側襠部に硬質の当たり防止具を取り付け、その当たり防止具が、側襠部を覆う頭部と側襠部を貫通する脚部を有し、前記頭部の天面に装飾が施されているランドセル。
【請求項２】
前記当たり防止具は、胴ベルトに取り付けられた吊り具の真下方向に位置している請求項１記載のランドセル。
【請求項３】
前記当たり防止具は、頭部の側襠部からの突出量よりも背板の側襠部からの突出量の方が大きい請求項１記載のランドセル。
【請求項４】
前記頭部は、天面が平坦面に形成され、その平坦面に装飾が施されている請求項１記載のランドセル。
【請求項５】
記当たり防止具は、複数個、取り付けられている請求項１記載のランドセル。
【考案の詳細な説明】
【技術分野】
【０００１】
本考案は主収納部の襠部の表面が保護されるランドセルに関する。
【背景技術】
【０００２】
ランドセルの主収納部の側襠部は硬性なので、物がぶつかると傷が付き易くなっている。側襠部の上部は側襠部の表面上に胴ベルトが設けられていたり、また、これに吊り具が装着されていたりするので、側襠に直接、物がぶつかるのは防止されている。したがって、当該部分の表面は傷がつき難い。しかし、下部は上記の吊り具に吊るされた物が収容されるスペースとして開放されているので、物がぶつかり易く、また、傷がつき易くなっている。
【０００３】
これまでにも側襠部の下部が名札入れや時間割表入れによって、部分的に覆われているランドセルはあった。この名札入れや時間割表入れ等は側襠を保護して傷付き難くもしていた。しかし、このようなランドセルの側襠部は実用性が際立ち、あまり好体裁のものではなかった。一方、側襠部の下部にプリント（特許文献１参照）や刺繍（特許文献２参照）などを施して好体裁にしたものもあるが、このような飾りは、傷防止にはならならない。逆に傷を受けてプリントが剥げたり、糸が擦り切れたりするので、見栄えが悪くなるという問題がある。
【先行技術文献】
【特許文献】
【０００４】
【特許文献１】意匠登録第１３５７４１７号
【特許文献２】意匠登録第１３８４５９５号
【考案の概要】
【考案が解決しようとする課題】
【０００５】
本考案は、主収納部の側襠部が好体裁で、かつ、傷つき難いランドセルを提供することを技術課題としている。
【課題を解決するための手段】
【０００６】
本発明のランドセル（請求項１）は、背板の上端に取り付けられた蓋が、この背板の前面に設けられている主収納部及びその前段の副収納部の口部を閉蓋したとき、背板及び蓋が主収納部及び副収納部の周囲を逆略Ｕ字状に取り囲むランドセルにおいて、主収納部の側襠部の上部に胴ベルトを設け、その下方で前記背板の両側端より内側の側襠部に硬質の当たり防止具を取り付け、その当たり防止具が、側襠部を覆う頭部と側襠部を貫通する脚部を有し、前記頭部の天面に装飾が施されていることを特徴としている。
【０００７】
前記当たり防止具は、胴ベルトに取り付けられた吊り具の真下方向に位置しているのが好ましい（請求項２）。
【０００８】
前記当たり防止具は、頭部の側襠部からの突出量よりも背板の側襠部からの突出量の方が大きいのが好ましい（請求項３）。
【０００９】
前記頭部は、天面が平坦面に形成され、その平坦面に装飾が施されているのが好ましい（請求項４）。
【００１０】
前記当たり防止具は、複数個、取り付けられているのが好ましい（請求項５）。
【考案の効果】
【００１１】
本考案のランドセル（請求項１）は、背板の上端に取り付けられた蓋が、この背板の前面に設けられている主収納部及びその前段の副収納部の口部を閉蓋したとき、背板及び蓋が主収納部及び副収納部の周囲を逆略Ｕ字状に取り囲む形態のもので、主収納部の側襠部の上部に胴ベルトを設け、その下方で前記背板の両側端より内側の側襠部に硬質の当たり防止具を取り付け、その当たり防止具が、側襠部を覆う頭部と側襠部を貫通する脚部を有し、前記頭部の天面に装飾が施されている。したがって、外から側襠部に向かってくる物は当たり防止具に接触して、側襠部に直接、接触するのが防止されているので、側襠部は傷が付き難い。また、当たり防止具によって、側襠部は装飾されるので、ランドセルは好体裁の外観を呈する。
【００１２】
前記当たり防止具が、胴ベルトに取り付けられた吊り具の真下方向に位置する場合（請求項２）、吊り具に吊り持された物は当たり防止具に接触可能になっている。したがって、主収納部の側襠部は吊り具に吊り持された物が揺動しても当たり防止具にぶつかるので、損傷し難い。
【００１３】
前記当たり防止具は、頭部の側襠部からの突出量よりも背板の側襠部からの突出量の方が大きい場合（請求項３）、背板の端縁の方が当たり防止具よりも外側に出っ張っているので、ランドセルの外から側面方向に向かってくる物は当たり防止具よりも背板の端縁に接触あるいはぶつかり易い。したがって、当たり防止具は損傷し難いし、また、装飾も損傷し難い。ひいてはランドセルの側襠部は長期間、好体裁に維持することができる。
【００１４】
前記頭部の天面が平坦面に形成され、その平坦面に装飾が施されている場合（請求項４）、当たり防止具は装飾効果及び側襠部の表面保護効果を一層、確実にする。
【００１５】
前記当たり防止具が複数個、取り付けられている場合(請求項５)、側襠部の損傷防止と装飾性はさらに高まる。
【図面の簡単な説明】
【００１６】
【図１】本考案の実施形態を示すランドセルの斜視図である。
【図２】図１の側面図である。
【図３】図２の要部拡大断面図である。
【考案を実施するための形態】
【００１７】
図１に示すように、本考案のランドセル１は、多見される一般的なランドセルとほぼ同じ構造のもので、背板２の上端に取り付けている長尺形状の蓋３が、主収納部４及びこの主収納部の前面に階段状に設けられている副収納部５の口部を閉蓋するようになっている。蓋３の下部にはその先端に施錠用雌部材を設けているＹ字状のベルト６が取り付けられ、また、主収納４部の底面には前記施錠用雌部材と係合する施錠用雄部材が取り付けられている。両者を連結することによって、閉蓋状態が保持される（図２参照）。また、連結を解消することによって、開蓋可能となっている。
【００１８】
図１及び図３に示すように、前記の背板２及び蓋３の横幅は主収納部４及び副収納部５の横幅よりも幅広になっている。そのため、図１に示す閉蓋状態における背板２及び蓋３の両側は、図３に示すように、主収納部４及び副収納部５の両側の襠部（以下、側襠部と称す。）７より外向きに突出している。また、この突出している部分（以下、突出部と称す。）２a、３aは主収納部４及び副収納部５の側襠部７の周囲をＵ字状に取り囲んでいるので、主収納部４及び副収納部５の側襠部７は周囲より凹んだ状態になっている。また、この突出部２a、３aは衝撃に対して、簡単に伏倒したり、折れ曲がったりすることのない
強度を有している。したがって、図３の二点鎖線で示すように突出部２a、３aは、ランドセルの外側から側面方向にぶつかってくる物を受け止めて、側襠部７に接触するのを防止可能にしている。
【００１９】
図３に示すように、ランドセル１の主収納部４の襠部（側襠部７a及び底襠部７ｂ）は
凹状に形成された硬質合成樹脂製の芯材８と、その内側に設けた合成樹脂製の内被材９と、同じくその外側に設けた革製またはクラリーノなどの合成皮革製の外被材１０の三層構造となっている。側襠部７aの表面は平滑に、かつ、平面に形成されている。
【００２０】
図１に示すように、主収納部４の側襠部７ａから副収納部５の前面にかけては胴ベルト１１が架け渡されている。しかし、主収納部４の襠部７ａにだけベルトを取り付けたものであってもよい。胴ベルト１１にはナス鐶１２などの吊り具が固着されている。しかし無くてもよい。また、図２に示すように着脱可能な吊り具１３を別途、取りつけてもよい。
【００２１】
図１及び図２に示すように、吊り具１２あるいは吊り具１３の直下方向の側襠部７ａには当たり防止具１５が取り付けられている。当たり防止具１５は金属製である。そのため、当たり防止具１５は頑丈である。当たり防止具１５は、両方の側襠部７ａに取りつけてもよいし、また、一方の側襠部に取り付けてもよい。また、図２の二点鎖線で示す当たり防止具１５に変えて、形状が異なる当たり防止具を設けてもよい。
【００２２】
図３に示すように、当たり防止具１５は頭部１６とかしめ用の脚部１７とからなり、脚部１７を側襠部７ａの表面側から裏面側へ貫通させてかしめ、頭部１６を側襠部７ａに密着している。頭部１６は、外側の面が平坦な面に形成され、その表面には装飾１８が施されている。この外側の面（以下、天面と称す。）と側襠部７ａに当接する面（以下、底面と称す。）は平行になっている。また、脚部１７は底面に垂直に設けられている。
【００２３】
頭部１６の大きさは、横幅が１５ｍｍ〜１００ｍｍ、特に２０ｍｍ〜５０ｍｍのものが好ましい。例えば頭部１６の幅と側襠部７ａの幅比は、少なくとも１：５〜１：２が外観上及び側襠部の保護上、好ましい。また、厚み（又は高さ）は、図３に示すように、背板２及び蓋３の突出部２ａ、３ａより突出しないように形成されている。例えば、１〜５ｍｍのものが好ましい。特に２〜３ｍｍのものは、外観上及び側襠部の保護上、好ましい。例えば頭部１６の厚み（または高さ）と突出部２ａ、３ａの高さ比は、少なくとも１：５〜１：３が外観上及び側襠部の保護上、好ましい。また、形状は例えばハート形、円形、四角形など、外に向かって大きく広がっている形状のものが側襠部を広範囲に保護することができるので、好ましい。しかし、横長のものであってもよい。
【００２４】
当たり防止具１５の天面は水平、かつ、平坦に形成されているので、物が天面に接触あるいはぶつかったとき、凸湾面のように表面から滑り落ちることは防止されている。したがって、側襠部７ａの表面に物が滑り落ちて傷つけることは防止可能になっている。
【００２５】
図３に示すように、側襠部７ａの表面に密着して装着された当たり防止具１５は、天面が側襠部７ａの表面と平行になっている。また、その天面の装飾１８も、ほぼ平行になっている。側襠部の凹みは周囲の突出部２ａ、３ａによって強調されているため、その凹みの中にある当たり防止具１５の頭部１６は側襠部７ａの表面から突出しているのが強調される。また、装飾１８は側襠部７ａの表面より浮き出ているように外見される。したがって、側襠部７ａは立体的に形成されているので、洒落た外観を呈する。
【００２６】
また、図３に示すように、側襠部７ａに向かって大型物がぶつかってきたとき、図３の一点鎖線に示すように、突出部２ａと当たり防止具１５の頭部１６の両方に当接するのが可能になっている。したがって側襠部７aは突出部２ａだけでなく、当たり防止具１５に
よっても保護されるので、長期間の使用においても美しさが維持できる。
【００２７】
また、図２に示すナス鐶１２または吊り具１３に吊るされた小物は当たり防止具１５に接触可能になっているので、襠部７ａの表面は小物による擦れ損が防止される。また、小物がナス鐶１２または吊り具１３に吊り持されていないとき、当たり防止具１５の装飾１６は外見される。したがって、側襠部７ａは装飾性を有しているので、好体裁の外観を呈する。このように、当たり防止具１５は側襠部に小物を吊り持させるときは側襠部の表面保護をすると共に、吊り持しないときは襠部へ装飾効果をもたらすことになる。
【符号の説明】
【００２８】
１  ランドセル
２  背板
２ａ 突出部
３  蓋
３ａ  突出部
４  主収納部
５  副収納部
６  Ｙ字ベルト
７  側襠部
７ａ  側襠部  
７ｂ  底襠部
８  内被材
９  外被材
１２  胴ベルト
１２  ナス鐶
１３  吊り具
１５  当たり防止具
１６  頭部
１７  脚部
１８  装飾
【図１】
0003163464.tif 000003
【図２】
0003163464.tif 000004
【図３】
0003163464.tif 000005